(57)【要約】【課題】障子表面を広く照明することができ、人の出入りを遅れることなく検知することが可能な照明ユニットを提供する。【解決手段】建物の開口部に配置される開口部装置（１）に装着される照明ユニット（３０）であって、光源（３４）と、検知センサ（３５）と、検知センサからの信号を受信して光源の点灯及び消灯を制御する制御手段と、光源及び検知センサを収納する照明用枠材（３１）と、を有し、照明用枠材は、検知センサに近い側に開口部装置への装着のための手段（３１ｆ、３１ｇ）が備えられている。【選択図】図２
2014134005.tif 000002
【特許請求の範囲】
【請求項１】
建物の開口部に配置される開口部装置に装着される照明ユニットであって、
光源と、
検知センサと、
前記検知センサからの信号を受信して前記光源の点灯及び消灯を制御する制御手段と、
前記光源及び前記検知センサを収納する照明用枠材と、を有し、
前記照明用枠材は、前記検知センサに近い側に前記開口部装置への装着のための手段が備えられている、照明ユニット。
【請求項２】
前記検知センサが前記照明用枠材の長手方向略中央位置に配置される、請求項１に記載の照明ユニット。
【請求項３】
建物の開口部の縁に沿って設けられる枠体と、
該枠体により枠組みされた枠内に配置される障子と、
前記枠体に装着される照明ユニットと、を備え、
前記照明ユニットは、
光源と、
検知センサと、
前記検知センサからの信号を受信して前記光源の点灯及び消灯を制御する制御手段と、
前記光源及び前記検知センサを収納し、前記枠体に取り付けられる照明用枠材と、を有し、
前記検知センサは前記光源より前記障子に近い側に配置されている、開口部装置。
【請求項４】
前記照明用枠材は前記枠体のうち上枠に配置されている、請求項３に記載の開口部装置。
【請求項５】
前記検知センサは前記上枠の長手方向略中央位置に配置される、請求項３又は４に記載の開口部装置。
【発明の詳細な説明】
【技術分野】
【０００１】
本発明は、照明ユニット、及び、該照明ユニットを備えた開口部装置に関する。
【背景技術】
【０００２】
例えば建物の玄関の近くには、夜間に施錠解錠の操作を行いやすくしたり、防犯性を高めたりする観点から、ポーチ灯等の照明が備え付けられていることが多い。このような照明は、通常、玄関の斜め左右のいずれかの壁に配置されるため、手元が陰になったり、扉が照らされておらず見え難かったりする不具合があった。また扉を開放したときには扉で照明が遮られ、足元が見えない等といったこともあった。
【０００３】
これに対して、特許文献１には、ドアを取り付けたドア枠の表面の一部に内部が中空の化粧枠を一体に設け、化粧枠内に照明ランプを取り付けると共に、戸の照明ランプに対応する部分にて化粧枠に透光用の開口部を形成して成る玄関ドア装置が開示されている。
また、特許文献２には、人の通り得る開口部を備えた屋内外を仕切る壁よりも屋外側に設置された人体検知センサと、壁よりも屋外側で人体検知センサの近傍に設置された第１の照明器具と、第１の照明器具よりも屋内側に設置された第２の照明器具と、第１の照明器具及び第２の照明器具の点灯制御を行う制御機構とを備えた防犯照明装置が開示されている。
【先行技術文献】
【特許文献】
【０００４】
【特許文献１】実開昭６１−１５２６９３号公報
【特許文献２】特開２００３−１７８３７７号公報
【発明の概要】
【発明が解決しようとする課題】
【０００５】
しかしながら、特許文献１、２に記載のいずれの技術も照明が扉（障子）を照らし出す構造とはなっておらず、必ずしも障子表面を十分に照明することができない。
また、特許文献２に記載の技術では、さらに人体検知センサによる照明の点灯をすることによる防犯性及び利便性の向上が図られているが、ここに記載されている人体検知センサは、防犯のために屋外側の感知を行うことを目的としているため、室外側の人体の検知は行えるが室内側から室外側へ出ようとする人の感知は不十分であった。
【０００６】
そこで本発明は、障子表面を広く照明することができ、人の出入りを遅れることなく検知することが可能な照明ユニットを提供することを課題とする。また、該照明ユニットを備えた開口部装置を提供する。
【課題を解決するための手段】
【０００７】
以下、本発明について説明する。ここでは分かりやすさのため図面の参照符号を括弧書きで併記するが、本発明は当該符号で表される構成に限定されるものではない。
【０００８】
請求項１に記載の発明は、建物の開口部に配置される開口部装置（１）に装着される照明ユニット（３０）であって、光源（３４）と、検知センサ（３５）と、検知センサからの信号を受信して光源の点灯及び消灯を制御する制御手段と、光源及び検知センサを収納する照明用枠材（３１）と、を有し、照明用枠材は、検知センサに近い側に開口部装置への装着のための手段（３１ｆ、３１ｇ）が備えられている、照明ユニットである。
【０００９】
請求項２に記載の発明は、請求項１に記載の照明ユニット（３０）において、検知センサ（３５）が照明用枠材（３１）の長手方向略中央位置に配置される。
【００１０】
請求項３に記載の発明は、建物の開口部の縁に沿って設けられる枠体（１０）と、該枠体により枠組みされた枠内に配置される障子（２０）と、枠体に装着される照明ユニット（３０）と、を備え、照明ユニットは、光源（３４）と、検知センサ（３５）と、検知センサからの信号を受信して光源の点灯及び消灯を制御する制御手段と、光源及び検知センサを収納し、枠体に取り付けられる照明用枠材（３１）と、を有し、検知センサは光源より障子に近い側に配置されている、開口部装置（１）である。
【００１１】
請求項４に記載の発明は、請求項３に記載の開口部装置（１）において、照明用枠材（３１）は枠体のうち上枠（１１）に配置されている。
【００１２】
請求項５に記載の発明は、請求項３又は４に記載の開口部装置（１）において、検知センサは上枠（１１）の長手方向略中央位置に配置される。
【発明の効果】
【００１３】
本発明によれば、光源が開口部から所定の距離離隔して配置されるので障子表面を広く照明することができるとともに、検知センサが開口部の近くに配置されるので、人の出入りを遅れることなく検知することが可能となる。
【図面の簡単な説明】
【００１４】
【図１】１つの形態を説明する図で、開口部装置１の室外側正面図である。
【図２】図１のＩＩ−ＩＩ線に沿った断面図である。
【図３】図２の分解図である。
【図４】連結部材４０を下方から見た図である。
【図５】照明ユニット３０を設置する１つの場面を説明する図である。
【図６】図６（ａ）は照明ユニット３０を設置する他の場面を説明する図、図６（ｂ）は照明ユニット３０を設置するさらなる他の場面を説明する図である。
【図７】変形例を説明する図で、図２と同一の視点による断面図である。
【図８】図７の分解図である。
【発明を実施するための形態】
【００１５】
本発明の上記のような作用及び利得は、次に説明する発明を実施するための形態から明らかにされる。以下、本発明を図面に示す実施形態に基づき説明する。ただし、本発明はこれら実施形態に限定されるものではない。
【００１６】
図１は、１つの形態に係る開口部装置１を説明する図であり、開口部装置１を室外側正面から見た図である。図２は図１にＩＩ−ＩＩで示した線に沿った断面図である。図３には、図２の分解図を示した。図２、図３には室外側及び室内側の方向を併せて記載した。
開口部装置１は、枠体１０、障子２０、及び照明ユニット３０を有して構成されている。
【００１７】
枠体１０は、上枠１１、下枠１２、及び２つの縦枠１３、を有して構成され、これらが四方枠組みして矩形枠状を形成している。
【００１８】
上枠１１は枠体１０のうち上枠を形成する長尺の部材である。上枠１１は、図２、図３に表れる断面を有して長手方向に延在し、該長手方向が開口部の上縁に沿って配置され、建物躯体に固定されている。
上枠１１の断面形状は特に限定されることなく、必要に応じた各種断面形状を適用できる。本形態では次のような形状を有している。すなわち、上枠１１は、見込み方向（室内外方向）に並べられる室外側部材１１ａ及び室内側部材１１ｂを有し、これが断熱材であるブリッジ１１ｃにより連結されている。これにより開口部装置１の断熱性を向上させている。
室外側部材１１ａは図２、図３に表れる断面において矩形中空であり、上片１１ｄ、室外側片１１ｅ、下片１１ｆ、室内側片１１ｇを有して形成されている。ここで室外側部材１１ａの室外側下端部の角部には切り欠き１１ｈが設けられている。
一方、室内側部材１１ｂは、下方に延びる片１１ｉを有し、ここに配置されたパッキン材１１ｊと合わせて戸当たりを形成している。
【００１９】
下枠１２は枠体１０のうち下枠を形成する長尺の部材であり、長手方向が開口部の下縁に沿って配置され、建物躯体に固定されている。下枠１２の断面形状は特に限定されることなく通常用いられる下枠を用いることができる。
【００２０】
縦枠１３は枠材１０の２つの縦枠を形成する長尺の部材であり、長手方向が開口部の２つの縦縁に沿って配置される。縦枠１３は、上枠１１の端部と下枠１２の端部とのそれぞれを渡すようにして固定されるとともに建物躯体にも固定されている。縦枠１３の断面形状は特に限定されることなく通常の縦枠を用いることができる。
【００２１】
以上のような上枠１１、下枠１２、縦枠１３の材質は特に限定されず、枠材として適用可能な公知の材質である例えばアルミニウム等を用いることができる。
【００２２】
障子２０は、上記した枠体１０の枠内に配置され、該枠体１０における開口部の開放及び閉鎖をする部材である。障子の具体的な形態は特に限定されることなく通常の障子を用いることができる。これには例えば開き戸、引き戸等があり、本形態では開き戸の形式を有する玄関扉であり、戸先側に開閉操作手段２１（図１参照）や不図示の施錠手段が配置されている。
【００２３】
次に、照明ユニット３０について詳しく説明する。照明ユニット３０は、図２、図３からわかるように、照明用枠材３１、透光板３２、被覆材３３、光源モジュール３４、センサモジュール３５、連結部材４０を有して構成されている。
【００２４】
照明用枠材３１は、その内側に光源モジュール３４及びセンサモジュール３５を収納するとともに、開口部装置１の外観の一部を形成する装飾的機能も有する部材である。照明用枠材３１は図２、図３に表れる断面を有して上枠１１に沿って長手方向に延びる長尺の部材である。
【００２５】
図３に表れる断面において、照明用枠材３１は、見込み方向（室内外方向）に延びる片３１ａを有し、その室外側端部から片３１ｂが垂下している。片３１ｂの下端には透光板３２を係止する透光板係止片３１ｃが設けられている。また透光板係止片３１ｃより上方には片３１ｂの室内側面に光源モジュール係止部３１ｄが形成されている。
片３１ａの室内側端部からは片３１ｅが垂下している。そして片３１ｅの上端からは室内側に延び、その先端が下方に延在するような鉤状の係止片３１ｆが備えられ、その下方には片３１ｅから室内側に延びる片３１ｇが形成されている。さらに、片３１ｅの下端は室外側に延びるように片が延び被覆材係止片３１ｈを具備する。
片３１ｂと片３１ｅとの間には片３１ａから垂下するように片３１ｉが垂下し、片３１ｂと片３１ｅとの間を仕切っている。片３１ｉの下端には、室外側に透光板係止片３１ｋ、室内側に被覆材係止片３１ｍが配置されている。また、透光板係止片３１ｋの上方には片３１ｉの室外側面に光源モジュール係止片３１ｊが形成されている。
照明用枠材３１の以上のような構成により、その内側が見込み方向に配列された２つの空間に仕切られ、室外側空間Ａ及び室内側空間Ｂが形成される。
【００２６】
透光板３２は光の透過率がよい板状の部材であり、光源モジュール３４から発光した光を照明ユニット３０の外に透過させる。透光板は光を透過することができれば特に限定されることはないが、光の透過率が高いことが好ましい。これにより少ない電力で明るく照明することができる。材質としては樹脂やガラスを挙げることができる。
透光板３２は片３１ｂの先端と片３１ｉの先端とを渡すように保持され、その室外側端部が透光板係止片３１ｃに、室内側端部が透光板係止片３１ｋにそれぞれ係止している。
【００２７】
被覆材３３は、片３１ｉと片３１ｅとにより形成される室内側空間Ｂの下端部を閉鎖するように被覆する部材である。被覆片３３は、図３に表れる断面において見込み方向に延びる片３３ａを有し、その室外側端部が片３１ｉの下端の被覆材係止片３１ｍに係止され、室内側端部が片３１ｅの下端の被覆材係止片３１ｈに係止している。また、片３３ａの上面には、複数の片３３ｂが立設し、見込み方向に所定の間隔で並べられている。従って、隣り合う片３３ｂの間には片３３ａを底とし、照明用枠材３１の長手方向に沿って延びる溝が複数形成されている。さらに、片３３ａの室内側端部からは片３３ａを延長するように室内側に延びる片３３ｃが設けられている。
【００２８】
ここで、照明用枠材３１の片３１ａから被覆材３３の片３３ａまでの距離（すなわち上下方向大きさ）は、上枠１１の上片１１ｄから室外側片１１ｅの下端までの距離と概ね同じとされている。
【００２９】
光源モジュール３４は光源を備え、光源の点灯により障子２０の室外側を照らし出すように配置されている。光源の種類は特に限定されることなくＬＥＤや蛍光灯等を用いることも可能である。本形態の光源は電力コストが低く、長寿命である観点からＬＥＤを用いている。
【００３０】
光源モジュール３４は、図２、図３からわかるように照明用枠材３１のうち、室外側空間Ａに配置され、室外側において少なくともセンサモジュール３５より建物開口部から遠い側となる位置に配置される。本形態では、光源モジュール３４の室外側端部が片３１ｂの光源モジュール係止片３１ｄに係止され、室内側端部が片３１ｉの光源モジュール係止片３１ｊに係止している。これにより光源モジュール３４が室外側空間Ａ内の透光板３２の上方に保持される。
【００３１】
このような光源モジュール３４は、照明用枠材３１の長手方向中央に１つ設けられてもよいし、中央以外の別の場所に配置されてもよい。また、必ずしも１つである必要はなく、照明用枠材３１の長手方向に沿って複数配列されてもよい。
【００３２】
センサモジュール３５は、検知センサ及び照度センサを備え、周辺環境の感知を行う部位である。また、場合によっては、受光センサを備えていることが好ましい。これら各センサからの感知信号は不図示の制御手段により光源モジュールにおける光源の点灯及び消灯が判断され、該点灯及び消灯が制御される。制御手段としては公知の制御基板等を用いることができる。
検知センサとしては、人体検知センサ又は物体検知センサが用いられる。例えば、人体検知センサとしては、物体からでている赤外線を検知して、検知エリア内に人体が侵入した場合の温度の違い、変化をとらえ人体を検知する赤外線センサを適用することができる。そして人体検知センサの感知信号により、上記不図示の制御手段から光源の点灯及び消灯を行う指令がされる。ここで、本形態においては、室内外へと出入りのする際に光源の点灯の遅れを小さくする観点から、人体検知センサはその直下を中心として室内外方向に所定の範囲内で感知をおこなうように設定されることが好ましい。また物体検知センサとしては、障子との距離変化を検知するようなセンサを用い障子の開閉を検知して、光源の点灯及び消灯の指令制御を行ってもよい。この場合、障子の開閉をもって人の出入りがあったものとみなしている。
また、検知センサは開口部装置１のうち障子２０が配置される部位の左右方向中央には設置されることが好ましい。従って本形態では上枠１１の長手方向中央が好ましく、上枠の長さと、照明ユニット３０の長さが概ね同じであれば、照明ユニット３０の長手方向の中央位置に配置されることが好ましい。このように検知センサが略中央位置にあることによって、障子の開く方向や障子の開閉形態によらず１種類の照明ユニットで対応することが可能となる。
照度センサは、周囲の照度を測定し、特定の照度を超えた場合には、検知センサ又は光源モジュール３４にその作動を禁止する信号を送り、照明を点灯させないようにし、特定の照度以下の場合には、検知センサの感知結果を有効にするセンサである。すなわち、暗くなった時のみに、照明の機能を発揮できるように設定することも可能である。このような照度センサは、照明に用いられる公知の照度センサを用いることができる。
受光センサは、照明ユニット３０が複数の点滅モードを有しており、リモコンによりモードを切り替えることができる場合に、リモコンからの信号を受信するセンサである。このようなセンサは公知のものを適用することができる。
【００３３】
以上のようなセンサモジュール３５は、図２、図３に表れているように照明用枠材３１のうち、室内側空間Ｂに配置され、枠体１０より室外側で少なくとも光源モジュール３４より建物開口部に近い側となる位置に配置される。本形態では、センサモジュール３５は被覆材３３の上方に配置され、被覆材３３に載置されてもよい。上記のように被覆材３３の上面側には複数の立設する片３３ｂが設けられている。これにより、センサモジュール３５の下方には片３３ｂによる溝が形成され、何らかの事情により室内側空間Ｂ内に水が侵入した場合でも、この水が溝内を伝わって照明ユニット３０の端部に流れ去るので、センサモジュール３５への水の付着を抑制することが可能となる。
【００３４】
連結部材４０は、照明用枠材３１を上枠１１に装着するに際し、適切に取り付けることができるように介在する部材である。本形態の連結部材４０は図２、図３に表れる断面を有して長手方向に延びる長尺の部材である。連結部材４０は、上下方向（見付け方向の上下）に延びる片４０ａを有し、その上端部には室内側に延びる片４０ｂが備えられている。また片４０ａの下端部には室外側に延びる片４０ｄが設けられている。さらに、片４０ａの上下端の間には、その室外側の面から室外側に延びるとともにその先端から上方に延びる鉤状の被係止片４０ｃが形成されている。これら被係止片４０ｃ、片４０ｄは連結部位として機能する。
図４には連結部材４０を図３にＩＶで示した方向からみた図を示した。すなわち、図４には連結部材４０の長手方向の形態が表れている。連結部材４０は、図４からわかるように、下側となる片４０ｄの長手方向両端部に切り欠き４０ｅが形成されている。これにより後述するように上枠１１の切り欠き１１ｈと併せて障子２０を上にずらして（スライドさせて）蝶番から外すことができる。本形態では両端に切り欠き４０ｅが設けられた例を示したが、蝶番が配置された側の端部のみに切り欠き４０ｅが具備されてもよい。
【００３５】
以上のような各構成部材を有する照明ユニット３０は、次のように上枠１１に取り付けられる。図５、図６に説明のための図を示した。図５、図６は図３と同じ視点による断面図である。
初めに、図５に示したように、上枠１１の室外側片１１ｅの室外側面に沿うように連結部材４０の片４０ａを重ねる。その際、連結部材４０の片４０ｂを上枠１１の上片１１ｄに引っ掛けるように配置する。さらに、片４０ａと室外側片１１ｅとの間に止水材４１を挟んでここで止水する。そしてこのように配置された連結部材４０を室外側から貫通する固定部材４２により上枠１１の室外側片１１ｅに固定する。
【００３６】
次に、透光板３２、被覆材３３、光源モジュール３４、センサモジュール３５が取り付けられた照明用枠材３１を連結部材４０に固定する。具体的には、図６（ａ）に示したように、連結部材４０の鉤状である被係止片４０ｃに、鉤状である照明用枠材３１の係止片３１ｆを引っ掛ける。その後、当該引っ掛けた部位を中心に照明用枠材３１を回動させ、図６（ｂ）のように連結部材３０の片４０ｄと照明用枠材３１の片３１ｇとが上下に重なるように配置する。そして下方から片３１ｇと片４０ｄとを固定部材４３により固定する。その際、片４０ｄが下方から見えないように隠蔽するために片３３ｃが延在するが、固定部材４３が配置される部位には不図示の穴が形成されている。またこの不図示の穴をカバー材４４により塞ぐ。
【００３７】
このように組み立てることにより図２に示した姿勢となる。上記説明した装着方法によれば、透光板３２、被覆材３３、光源モジュール３４、センサモジュール３５が取り付けられた重量のある照明用枠材３１を高い位置に取り付ける場合であっても、係止片で引っ掛けるように仮に固定した後、固定部材４３で本固定をする。従って、重量物を確実に固定することができ、一度仮に固定した後に本固定をするので、高所であっても安定した作業をすることができる。
【００３８】
以上のようにして形成された開口部装置１によれば、センサモジュール３５が開口部に近い側、光源モジュール３４が開口部に遠い側に配置される。
これによりセンサモジュール３５については図２に破線で示したように、開口部に近いので室外側のみでなく、障子２０が開いた際には室内側の状況も感知し易くなる。従って、例えば夜間において帰宅した際に光源を点灯することに加え、夜間に外出する際に障子を開放させ外に出るときにも遅滞なく光源が足元を照らすので、安心感を高めることができる。
一方、光源モジュール３４は、開口部の上方から開口部に向けて光を照射できるので、陰などができ難く利便性が高い。また、その際には光源が開口部から離隔して配置され、一定の距離が確保されるので、開口部に近い場合に比べて図２に一点鎖線で示したように障子２０の下方まで光を照射することができ、障子全体を照明することが可能となる。
【００３９】
また、図３、図６（ｂ）からわかるように、上枠１１の室外側下端には切り欠き１１ｈが設けられるとともに、照明ユニット３０の下面はこの切り欠き１１ｈの上部と同じ高さとなるように構成されている。すなわち、照明ユニット３０が取り付けられる上枠の片１１ｅは照明用枠材３１の下面となる高さ位置にまで切り欠かれている。また連結部材４０は図４からわかるようにその下側となる片４０ｄの長手方向両端が切り欠かれている。これにより、障子２０を枠体１０に組み付け、及び離脱させる際に、障子２０を上方に移動（スライド）させても、障子２０に対して上枠１０、及び連結部材４０が衝突しない（干渉しない）ので、円滑な作業が可能となる。
【００４０】
図７、図８には変形例にかかる開口部装置１０１を説明する図を示す。図７は図２と同じ視点による断面図であり、図８は図３と同じ視点による断面図である。開口部装置１０１では、開口部装置１の上枠１１の代わりに上枠１１１が適用されている。また、照明ユニット１３０は、照明ユニット３０のうち、連結部材４０及びこれを固定部材４２が不要とされている以外は照明ユニット３０と同じである。従ってここでは、開口部装置１に対して異なる点を説明し、他の共通する事項については説明を省略する。その際、開口部装置１と同じ部材を用いる場合には符号も同じとする。
【００４１】
開口部装置１０１では、図７、図８からわかるように、上枠１１１の室外側片１１１ｅに、係止片１１１ａ及び片１１１ｂがそれぞれ室外側に突出するように形成されている。係止片１１１ａ及び片１１１ｂの形状及びその配置は、連結部材４０の係止片４０ｃ及び片４０ｄと同じとされている。
このような開口部装置１０１によれば、連結部材４０を用いることなく上枠２０に照明ユニットを設置することができる。その施工方法も連結部材４０を上枠１１に固定する工程を除き、開口部装置１０１と同じである。
そしてこのように施工された開口部装置１０１によれば、開口部装置１と同様の効果を奏するものとなる。
【００４２】
以上説明した形態では、照明ユニット３０と上枠１１との長手方向の長さが略同一である例を示したが、照明ユニット３０の長さは特に限定されない。ただし、上枠よりも短い場合には照明ユニットの端部から雨水が垂れてきてしまうことがあり、外観の観点から本形態のように照明ユニットは上枠と略同じ長さであることが好ましい。
【００４３】
また、本形態では上枠に照明ユニットが設置される形態を示したが、当該形態に限定されず、縦枠又は下枠に照明ユニットが配置される形態としてもよい。ただし、障子、床面に対して左右均一に光を照射し、影ができ難いとの観点から、照明ユニットは上枠に設置されていることが好ましい。
【００４４】
さらに、本形態では、上枠と照明ユニットとが別々の部材として構成されている形態を示したが、本発明は当該形態に限定されず、上枠と照明ユニットとが一体の構造を有していても良い。
【符号の説明】
【００４５】
１  開口部装置
１０  枠体
１１  上枠
１２  下枠
１３  縦枠
２０  障子
３０  照明ユニット
３１  照明用枠材
３２  透光板
３３  被覆材
３４  光源モジュール（光源を含む。）
３５  センサモジュール（検知センサを含む。）
４０  連結部材
１１１  上枠
【図１】
2014134005.tif 000003
【図２】
2014134005.tif 000004
【図３】
2014134005.tif 000005
【図４】
2014134005.tif 000006
【図５】
2014134005.tif 000007
【図６】
2014134005.tif 000008
【図７】
2014134005.tif 000009
【図８】
2014134005.tif 000010